(57)【要約】【課題】部分的にでも硝子が破壊されたときに、確実にその破壊を検出できる硝子の破壊検出装置及び破壊検出が可能な硝子を提供する。【解決手段】一対の硝子板１０の間に透明樹脂層１２が配置された合わせ硝子と強化硝子１４とがスぺーサ１６により所定距離Ｌ隔てて配置され、複層硝子が構成されている。これらの合わせ硝子と強化硝子とは枠１８により固定され、レール２０に嵌め込まれている。強化硝子１４の合わせ硝子側の面には、ＩＣタグ２２が取り付けられている。また、レール２０の屋内側の側面には、監視装置２４が取り付けられており、ＩＣタグ２２と通信を行っている。強化硝子１４の一部でも破壊されると、強化硝子１４全体が粒状に破壊され、強化硝子１４に取り付けられているＩＣタグ２２は下方に落下し、監視装置２４との間の通信が途絶えるので、監視装置２４が硝子の破壊と判定する。【選択図】        図１
2005004316.tif 000002
【特許請求の範囲】
【請求項１】
強化硝子と、
前記強化硝子に取り付けられ、所定の電波を受信すると内部に格納した情報を発信するＩＣタグと、
前記ＩＣタグとの通信が途絶えたときに硝子が破壊されたと判定する監視装置と、
を備えることを特徴とする硝子の破壊検出装置。
【請求項２】
請求項１記載の硝子の破壊検出装置において、前記強化硝子は、他の板硝子と所定距離隔てて屋外側に配置され、前記ＩＣタグは、前記強化硝子の前記他の硝子板に対向する側の面に取り付けられていることを特徴とする硝子の破壊検出装置。
【請求項３】
請求項１記載の硝子の破壊検出装置において、前記強化硝子は、一対の硝子板の間に透明樹脂層が配置された合わせ硝子と所定距離隔てて屋外側に配置されて複層硝子を構成し、前記ＩＣタグは、前記強化硝子の前記合わせ硝子側の面に取り付けられていることを特徴とする硝子の破壊検出装置。
【請求項４】
板硝子と
前記板硝子と所定距離隔てて屋外側に配置された強化硝子と、
前記強化硝子の前記板硝子側の面に取り付けられ、強化硝子の破壊を検知するための検知タグと、
を備えることを特徴とする破壊検出が可能な硝子。
【請求項５】
請求項４記載の破壊検出が可能な硝子において、前記板硝子に代わって一対の硝子板の間に透明樹脂層が配置された合わせ硝子が使用されていることを特徴とする破壊検出が可能な硝子。
【発明の詳細な説明】
【０００１】
【発明の属する技術分野】
本発明は、硝子が破壊されたことを検出する破壊検出装置及び破壊検出が可能な硝子に関する。
【０００２】
【従来の技術】
従来より、外部から窓硝子、玄関戸等の住宅の開口部を開けられたことを検出し、警報を作動させる防犯用の警報器が種々提案されている。例えば、下記特許文献１には、一般住宅の開口部に簡単に取り付けられる警報器の例が開示されている。
【０００３】
図３には、上記警報器の構成例が示される。図３において、住宅の窓１００に取り付けられた窓障子１０２の硝子板１０４には、マグネット１０６が取り付けられている。また、窓障子１０２の枠１０８の屋内側には、リードスイッチ１１０と警報器１１２が取り付けられ、リードスイッチ１１０と警報器１１２とは電線１１４により接続されている。窓障子１０２が、図の矢印Ａ方向に開けられると、マグネット１０６とリードスイッチ１１０との間の距離が離れ、マグネット１０６の磁力がリードスイッチ１１０に作用しなくなり、リードスイッチ１１０がオンとなる。リードスイッチ１１０がオンとなると、警報器１１２がアラームを発生して窓が開けられたことを知らせる。これにより、不審者の侵入や来訪者を知らせることができる。
【０００４】
【特許文献１】実開昭６３−１９５４９２号公報
【０００５】
【発明が解決しようとする課題】
しかし、上記従来の技術においては、窓障子１０２の硝子板１０４を部分的に破壊された場合には、マグネット１０６とリードスイッチ１１０との間の距離に変化が生じないので検出ができず、侵入者の侵入を許すことになるという問題があった。
【０００６】
本発明は、上記従来の課題に鑑みなされたものであり、その目的は、部分的にでも硝子が破壊されたときに、確実にその破壊を検出できる硝子の破壊検出装置及び破壊検出が可能な硝子を提供することにある。
【０００７】
【課題を解決するための手段】
上記目的を達成するために、本発明は、硝子の破壊検出装置であって、強化硝子と、強化硝子に取り付けられ、所定の電波を受信すると内部に格納した情報を発信するＩＣタグと、ＩＣタグとの通信が途絶えたときに硝子が破壊されたと判定する監視装置と、を備えることを特徴とする。
【０００８】
ここで、上記強化硝子は、他の硝子板と所定距離隔てて屋外側に配置され、ＩＣタグは、強化硝子の他の硝子板に対向する側の面に取り付けられているのが好適である。また、上記強化硝子は、一対の硝子板の間に透明樹脂層が配置された合わせ硝子と所定距離隔てて屋外側に配置されて複層硝子を構成し、ＩＣタグは、強化硝子の合わせ硝子側の面に取り付けられていてもよい。
【０００９】
上記各構成によれば、ＩＣタグが強化硝子に取り付けられているので、強化硝子が部分的に破壊されても、硝子全体に破壊が進み、ＩＣタグが下方に落下する。これにより、ＩＣタグと監視装置との通信が途絶えるので、硝子の破壊を確実に検出できる。
【００１０】
また、破壊検出が可能な硝子であって、板硝子と、板硝子と所定距離隔てて屋外側に配置された強化硝子と、強化硝子の板硝子側の面に取り付けられ、強化硝子の破壊を検知するための検知タグと、を備えることを特徴とする。また、上記板硝子に代わって一対の硝子板の間に透明樹脂層が配置された合わせ硝子を使用するのも好適である。
【００１１】
上記各構成によれば、複層硝子の屋外側に配置された強化硝子の合わせ硝子側の面に検知タグが取り付けられているので、強化硝子が部分的に破壊されても、硝子全体に破壊が進み、検知タグが下方に落下するので、適宜な監視装置により、確実に破壊検出が可能な硝子を実現できる。
【００１２】
【発明の実施の形態】
以下、本発明の実施の形態（以下実施形態という）を、図面に従って説明する。
【００１３】
実施形態１．
図１には、本発明の実施形態１にかかる硝子の破壊検出装置の断面図が示される。図１において、一対の硝子板１０の間に透明樹脂層１２が配置された合わせ硝子と強化硝子１４とがスぺーサ１６により所定距離Ｌ隔てて配置され、複層硝子が構成されている。この場合、強化硝子１４は、窓等の屋外側に配置されている。所定距離Ｌとしては、複層硝子に求められる全体の厚さの制限等から適宜決定される。これらの合わせ硝子と強化硝子とは枠１８により固定され、レール２０に嵌め込まれ、窓硝子等に使用される。なお、本発明は、窓硝子に限られるものではなく、玄関戸、玄関扉、勝手口の戸、テラス戸等に適用可能である。
【００１４】
また、強化硝子１４に屋内側で対向する板硝子としては、必ずしも上記合わせ硝子に限られるものではない。例えば、強化硝子１４を、普通の板硝子または他の強化硝子等と所定距離Ｌ隔てて屋外側に配置するように構成してもよい。
【００１５】
強化硝子１４の合わせ硝子（合わせ硝子を使用しない場合には他の普通板硝子または他の強化硝子）側の面には、ＩＣタグ２２が取り付けられている。ＩＣタグ２２は、ＩＣチップとアンテナにより構成され、所定の電波例えば２．４５ＧＨｚの電波を受信するとＩＣチップの内部に格納した情報を発信するように構成されている。この情報には、ＩＣタグ２２の識別符号等を含ませることができる。
【００１６】
また、レール２０の屋内側の側面には、監視装置２４が取り付けられており、上記ＩＣタグ２２に電波を送信し、ＩＣタグ２２から所定の情報を受信することにより、ＩＣタグ２２と通信を行っている。
【００１７】
以上に述べた硝子の破壊検出装置が取り付けられた窓から屋内に侵入しようとして、何者かが強化硝子１４の一部でも破壊すると、強化硝子１４の全面にわたって亀裂が拡大し、硝子全体が粒状に破壊される。このため、強化硝子１４の合わせ硝子側の面に取り付けられているＩＣタグ２２は、強化硝子１４が破壊されると同時に図の下方に落下し、監視装置２４との間に通信ができない程度の距離が生ずる。このとき、ＩＣタグ２２と監視装置２４との通信が途絶えるが、監視装置２４は、ＩＣタグ２２との通信が途絶えたときに、ＩＣタグ２２が取り付けられていた硝子が破壊されたと判定するように構成されている。硝子が破壊されたと判定した場合、監視装置２４は、警報アラームの発生、監視センターへの情報の送信等の動作をするように構成するのが好適である。これにより、硝子が破壊されたときに、確実にその破壊を検出することができる。
【００１８】
また、上述したように、強化硝子と合わせ硝子とにより複層硝子を構成していると、強化硝子が破壊されても屋内側にさらに合わせ硝子が存在するので、侵入に時間がかかる。このため、上記警報アラームの発生または監視センターへの情報の送信等があってから対応するまでに十分な時間を確保でき、より安全性を向上できる。
【００１９】
実施形態２．
図２には、本発明の実施形態２にかかる破壊検出が可能な硝子の断面図が示され、図１と同一要素には同一符号が付されている。図２において、屋外側に配置される強化硝子１４の合わせ硝子側の面には、マグネット２６が取り付けられている。また、レール２０の所定の位置にはリードスイッチ２８が取り付けられている。このマグネット２６とリードスイッチ２８とは、窓硝子が閉じられているときに近接し、リードスイッチ２８にマグネット２６の磁力が作用してリードスイッチ２８がオフとなり、窓硝子が開けられたときに距離が離れてリードスイッチ２８がオンとなるように構成されている。リードスイッチ２８がオンとなった場合、図示しない電線により監視装置２４にその情報が伝達され、監視装置２４が警報アラームを発生する等の所定の動作を行う。なお、上記リードスイッチ２８の取り付け位置は、必ずしもレール２０に限定されず、窓硝子が閉じられているときにマグネット２６に近接する位置であればよい。
【００２０】
なお、実施形態１でも述べたとおり、強化硝子１４に屋内側で対向する板硝子としては、必ずしも上記合わせ硝子に限られるものではない。例えば、強化硝子１４を、普通の板硝子または他の強化硝子等と所定距離Ｌ隔てて屋外側に配置するように構成してもよい。
【００２１】
本実施形態においても、窓から屋内に侵入しようとして、何者かが強化硝子１４の一部でも破壊すると、強化硝子１４の全体が粒状に破壊される。このため、強化硝子１４の合わせ硝子側の面に取り付けられているマグネット２６は、強化硝子１４が破壊されると同時に図の下方に落下し、リードスイッチ２８との間にマグネット２６の磁力が作用できない距離が生ずる。これにより、リードスイッチ２８がオンとなり、監視装置２４にその情報が伝達される。これにより、監視装置２４が、窓硝子が開けられたときと同様にして窓硝子の破壊を検知することができる。このように、マグネット２６は、監視装置２４によって窓硝子の破壊を検知するための検知タグとして機能している。
【００２２】
また、上記検知タグとしては、リードスイッチ２８ではなく、実施形態１で述べたＩＣタグ２２を使用することもできる。ＩＣタグ２２を使用する場合には、リードスイッチ２８は不要となり、図１に示されたＩＣタグ２２と通信可能な監視装置２４が使用される。この場合にも、実施形態１と同様に、強化硝子１４が破壊されるとＩＣタグ２２が落下し、監視装置２４との通信が途絶えることによって監視装置２４が硝子の破壊を検出する。
【００２３】
【発明の効果】
以上説明したように、本発明の硝子の破壊検出装置によれば、ＩＣタグが強化硝子に取り付けられているので、強化硝子が部分的に破壊されても、硝子全体に破壊が進み、ＩＣタグが下方に落下する。これにより、ＩＣタグと監視装置との通信が途絶えるので、硝子の破壊を確実に検出できる。
【００２４】
また、特に強化硝子と合わせ硝子とにより複層硝子を構成する場合は、強化硝子が破壊されても屋内側にさらに合わせ硝子が存在するので、より安全性を向上できる。
【００２５】
また、本発明の破壊検出が可能な硝子によれば、複層硝子の屋外側に配置された強化硝子の合わせ硝子側の面に、マグネットまたはＩＣタグで構成された検知タグが取り付けられているので、強化硝子が部分的に破壊されても、硝子全体に破壊が進み、検知タグが下方に落下する。これにより、適宜な監視装置により、確実に破壊検出が可能な硝子を実現できる。
【図面の簡単な説明】
【図１】本発明の実施形態１にかかる硝子の破壊検出装置の断面図である。
【図２】本発明の実施形態２にかかる破壊検出が可能な硝子の断面図である。
【図３】従来における防犯用の警報器の構成例を示す図である。
【符号の説明】
１０  硝子板、１２  透明樹脂層、１４  強化硝子、１６  スぺーサ、
１８  枠、２０  レール、２２  ＩＣタグ、２４  監視装置、２６  マグネット、２８  リードスイッチ。
【図１】
2005004316.tif 000003
【図２】
2005004316.tif 000004
【図３】
2005004316.tif 000005